(57)【要約】【課題】ＣＤＭＡ方式による通信を行う無線基地局において、保守機能における追い出し制御を行う際に無瞬断ハードハンドオーバ制御を提供する。【解決手段】追い出し元のベースバンドリソース２０１ａ、追い出し先のベースバンドリソース２０１ｂの状態を監視し、無瞬断ハードハンドオーバ制御が可能となるよう、自律的に切り替えタイミングとなるＣＦＮを生成し、追い出し元のベースバンドリソース２０１ａ、追い出し先のベースバンドリソース２０１ｂへＣＦＮ情報を転送するためのＣＦＮ生成手段１１０を備える。追い出し元のベースバンドリソース２０１ａの無線情報を書き込み、追い出し先のベースバンドリソース２０１ｂに対して無線情報を転送し、この無線情報を用いて継続した通信を可能とするＨＨＯ情報書き込み／読み込み手段２０５ａ、２０５ｂを備える。【選択図】　　　図２
2004080698.tif 000002
【特許請求の範囲】
【請求項１】
ＣＤＭＡ方式による通信を行うＮｏｄｅ−Ｂの呼処理／保守処理監視手段内にＣＦＮ（Ｃｏｎｎｅｃｔｉｏｎ　Ｆｒａｍｅ　Ｎｕｍｂｅｒ）生成手段を備え、
前記Ｎｏｄｅ−Ｂのベースバンド信号手段内にサーチ手段とレイク手段とコーデック手段とＨＨＯ（Ｈａｒｄ　Ｈａｎｄ　Ｏｖｅｒ）情報書き込み／読み込み手段と、を備える
ことを特徴とする無瞬断ハードハンドオーバ制御装置。
【請求項２】
ＣＤＭＡ方式による通信を行うＮｏｄｅ−Ｂの呼処理／保守処理監視手段内にＨＨＯ（Ｈａｒｄ　Ｈａｎｄ　Ｏｖｅｒ）の切り替えタイミングとなるＣＦＮ（Ｃｏｎｎｅｃｔｉｏｎ　Ｆｒａｍｅ　Ｎｕｍｂｅｒ）を生成するＣＦＮ生成手段を備え、
前記Ｎｏｄｅ−Ｂにおけるベースバンド信号手段にあるベースバンドリソースにサーチ手段とレイク手段とコーデック手段と前記ＨＨＯに関する無線情報の書き込み／読み込みを行うＨＨＯ情報書き込み／読み込み手段と、を備える
ことを特徴とする無瞬断ハードハンドオーバ制御装置。
【請求項３】
前記Ｎｏｄｅ−Ｂで追い出し元と追い出し先とでなる追い出し制御を行う場合に、
追い出し元となる前記サーチ手段での捕捉パス情報と、追い出し元となる前記コーデック手段での無線フレーム同期判定情報及び送信電力制御情報と、を追い出し元となる前記ＨＨＯ情報書き込み／読み込み手段に書き込み、
追い出し元となる前記ＨＨＯ情報書き込み／読み込み手段に書き込んだ情報を、追い出し先となる前記ＨＨＯ情報書き込み／読み込み手段へ転送し、
追い出し先となる前記ＨＨＯ情報書き込み／読み込み手段が、追い出し先の前記サーチ手段に対し前記捕捉パス情報を、追い出し先の前記コーデック手段に対し前記無線フレーム同期判定情報及び前記送信電力制御情報を転送する
ことを特徴とする請求項１又は２に記載の無瞬断ハードハンドオーバ制御装置。
【請求項４】
前記Ｎｏｄｅ−Ｂで追い出し元と追い出し先とでなる追い出し制御を行う場合に、前記ＣＦＮ生成手段が、
生成したＣＦＮを前記呼処理／保守処理監視手段を通じ、追い出し元と追い出し先となるそれぞれの前記サーチ手段、前記レイク手段、前記コーデック手段、前記ＨＨＯ情報書き込み／読み込み手段へ転送する
ことを特徴とする請求項１又は２に記載の無瞬断ハードハンドオーバ制御装置。
【請求項５】
前記Ｎｏｄｅ−Ｂでベースバンドリソースにおける通信中の呼に対して、新たに通信の継続可能なベースバンドリソースを見つけて、新たなリソースで通信を行う追い出し制御を行う場合に、前記サーチ手段、前記レイク手段、前記コーデック手段、前記ＨＨＯ情報書き込み／読み込み手段が、
追い出し制御時の切り替えタイミングとなるＣＦＮに対応して、上り回線信号と下り回線信号に対する信号処理の重複を避ける
ことを特徴とする請求項１又は２に記載の無瞬断ハードハンドオーバ制御装置。
【請求項６】
前記Ｎｏｄｅ−Ｂで追い出し制御を行う場合に、前記ＨＨＯ情報書き込み／読み込み手段が、
追い出し元での捕捉パス情報と無線フレーム同期判定情報と送信電力制御情報とを追い出し先へ転送し、追い出し先で信号処理を継続し、追い出し元の無線状態を保った状態でハードハンドオーバ制御を行う
ことを特徴とする請求項１又は２に記載の無瞬断ハードハンドオーバ制御装置。
【請求項７】
追い出し元ベースバンドリソースと追い出し先ベースバンドリソースの状態を監視し、追い出し制御を行う際の切り替えタイミングとなるＣＦＮ（Ｃｏｎｎｅｃｔｉｏｎ　Ｆｒａｍｅ　Ｎｕｍｂｅｒ）を生成し、前記追い出し元ベースバンドリソースと前記追い出し先ベースバンドリソースへＣＦＮを転送するためのＣＦＮ生成手段と、
前記追い出し元ベースバンドリソース内の無線情報を書き込み、前記追い出し先ベースバンドリソース内へ前記無線情報を転送するＨＨＯ（Ｈａｒｄ　Ｈａｎｄ　Ｏｖｅｒ）情報書き込み／読み込み手段と、を備える
ことを特徴とする無瞬断ハードハンドオーバ制御装置。
【請求項８】
ＣＤＭＡ方式による通信を行うＮｏｄｅ−Ｂにおいて、
追い出し制御を行う際の切り替えタイミングとなるＣＦＮ（Ｃｏｎｎｅｃｔｉｏｎ　Ｆｒａｍｅ　Ｎｕｍｂｅｒ）が到来する前に、追い出し元のベースバンドリソースに関する無線情報を、追い出し先のベースバンドリソースへ転送する
ことを特徴とする無瞬断ハードハンドオーバ制御方法。
【請求項９】
ＣＤＭＡ方式による通信を行うＮｏｄｅ−Ｂにおいて、
前記Ｎｏｄｅ−Ｂのベースバンド信号手段の追い出し元ベースバンドリソースに備えた追い出し元ＨＨＯ（Ｈａｒｄ　Ｈａｎｄ　Ｏｖｅｒ）情報書き込み／読み込み手段が、前記追い出し元ベースバンドリソースに関する無線情報を読み込み、
追い出し制御を行う際の切り替えタイミングとなるＣＦＮ（Ｃｏｎｎｅｃｔｉｏｎ　Ｆｒａｍｅ　Ｎｕｍｂｅｒ）が到来する前に、前記Ｎｏｄｅ−Ｂのベースバンド信号手段の追い出し先ベースバンドリソースに備えた追い出し先ＨＨＯ情報書き込み／読み込み手段へ前記無線情報を転送する
ことを特徴とする無瞬断ハードハンドオーバ制御方法。
【請求項１０】
ＣＤＭＡ方式による通信を行うＮｏｄｅ−Ｂの呼処理／保守処理監視手段が、この呼処理／保守処理監視手段の内部に有するＣＦＮ（Ｃｏｎｎｅｃｔｉｏｎ　Ｆｒａｍｅ　Ｎｕｍｂｅｒ）生成手段に対し無瞬断ハードハンドオーバが可能なＣＦＮ生成を通知し、
前記ＣＦＮ生成の通知を受けた前記ＣＦＮ生成手段が、前記Ｎｏｄｅ−Ｂのベースバンド信号手段の内部に有する追い出し元ベースバンドリソースに関するベースバンドリソース元情報と、前記Ｎｏｄｅ−Ｂのベースバンド信号手段の内部に有する追い出し先ベースバンドリソースに関するベースバンドリソース先情報と、追い出し制御を行う際の切り替えタイミングであるＣＦＮと、を含むＣＦＮ生成メッセージを、前記呼処理／保守処理監視手段に通知し、
前記ＣＦＮ生成メッセージの通知を受けた前記呼処理／保守処理監視手段が、前記追い出し元ベースバンドリソース内にある追い出し元サーチ手段、追い出し元レイク手段、追い出し元コーデック手段、追い出し元ＨＨＯ（Ｈａｒｄ　Ｈａｎｄ　Ｏｖｅｒ）情報書き込み／読み込み手段、及び前記追い出し先ベースバンドリソース内にある追い出し先サーチ手段、追い出し先レイク手段、追い出し先コーデック手段、追い出し先ＨＨＯ情報書き込み／読み込み手段へ前記ＣＦＮ生成メッセージを転送し、
前記追い出し元コーデック手段が、前記呼処理／保守処理監視手段からの前記ＣＦＮ生成メッセージを受け、現時点での無線フレーム同期判定情報と送信電力制御情報とを、前記追い出し元ＨＨＯ情報書き込み／読み込み手段へ通知し、
前記追い出し元サーチ手段が、前記呼処理／保守処理監視手段からの前記ＣＦＮ生成メッセージを受け、現時点での捕捉パス情報を前記追い出し元ＨＨＯ情報書き込み／読み込み手段へ通知し、
前記追い出し元ＨＨＯ情報書き込み／読み込み手段が、前記呼処理／保守処理監視手段を通じて転送された前記ＣＦＮ生成メッセージ中の前記ベースバンドリソース先情報を参照して、前記追い出し先ベースバンドリソースを認識し、
前記追い出し元ＨＨＯ情報書き込み／読み込み手段が、切り替えタイミングとなるＣＦＮを超えないよう、前記追い出し元サーチ手段からの前記捕捉パス情報と前記追い出し元コーデック手段からの前記無線フレーム同期判定情報と前記送信電力制御情報とでなる無線情報を、前記追い出し先ＨＨＯ情報書き込み／読み込み手段へ転送し、
前記追い出し先ＨＨＯ情報書き込み／読み込み手段が、前記追い出し元ＨＨＯ情報書き込み／読み込み手段から転送された前記無線情報を読み出し、前記追い出し先サーチ手段へ前記捕捉パス情報を通知し、前記追い出し先コーデック手段へ前記無線フレーム同期判定情報と前記送信電力制御情報とを通知し、
前記呼処理／保守処理監視手段が、前記ＣＦＮの到来を受けて、前記追い出し元サーチ手段、前記追い出し元レイク手段、前記追い出し元コーデック手段、前記追い出し元ＨＨＯ情報書き込み／読み込み手段に対してリソースの解放を指令する
ことを特徴とする無瞬断ハードハンドオーバ制御方法。
【発明の詳細な説明】
【０００１】
【発明の属する技術分野】
本発明はＣＤＭＡ（Ｃｏｄｅ　Ｄｉｖｉｓｉｏｎ　Ｍｕｌｔｉｐｌｅ　Ａｃｃｅｓｓ）方式による通信を行う無線基地局において、保守機能における追い出し制御（当該ベースバンドリソースにおいて通信中の呼に対し、自律的に新たに通信継続が可能なベースバンドリソースを見つけ、新たなリソースで通信を継続させる）による無瞬断ハードハンドオーバ制御装置及び方法に関するものである。
【０００２】
【従来の技術】
３ｒｄ　Ｇｅｎｒａｔｉｏｎ　Ｐａｒｔｎｅｒｓｈｉｐ　Ｐｒｏｊｅｃｔ（以下、３ＧＰＰという）ＴＳ２５．４３３における無線基地局（以下、Ｎｏｄｅ−Ｂという）における無瞬断ハードハンドオーバ制御（以下、無瞬断ＨＨＯ（Ｈａｒｄ　Ｈａｎｄ　Ｏｖｅｒ）という）について図５〜図８を用いて示す。
【０００３】
図５は、Ｃｏｎｔｒｏｌｌｉｎｇ　Ｒａｄｉｏ　Ｎｅｔｗｏｒｋ　Ｃｏｎｔｒｏｌｌｅｒ（以下、ＲＮＣという）とＮｏｄｅ−Ｂ間における無瞬断ＨＨＯシーケンスである。
【０００４】
図６は、ＲＮＣからＮｏｄｅ−Ｂに対するＲＡＤＩＯ　ＬＩＮＫ　ＲＥＣＯＮＦＩＧＵＲＡＴＩＯＮ　ＣＯＭＭＩＴメッセージの詳細である。
【０００５】
図５の無瞬断ＨＨＯシーケンスは、Ｎｏｄｅ−Ｂにおいて、新たな無線リンク設定を行う際に発生する。この時、無線同期リンク設定手順が正常に完了していることが前提条件となる。Ｎｏｄｅ−Ｂでは無線同期リンク設定手順完了後、次に到来するＣｏｎｎｅｃｔｉｏｎ　Ｆｒａｍｅ　Ｎｕｍｂｅｒ（以下、ＣＦＮという）にて無線リンクの切り替えを行う。このＣＦＮは図６に示されている様に、ＲＮＣからのＲＡＤＩＯ　ＬＩＮＫ　ＲＥＣＯＮＦＩＧＵＲＡＴＩＯＮ　ＣＯＭＭＩＴメッセージに含まれている。このＣＦＮによる無線リンクの切り替えを以て、無瞬断ＨＨＯを完了する。
【０００６】
次に図７と図８を用いて、当該ベースバンドリソースにおける通信中の呼に対する、ＲＮＣ７１１からのＣＦＮ通知によるＮｏｄｅ−Ｂ７０３内のベースバンド信号手段７０６での無瞬断ＨＨＯについて説明する。
【０００７】
図７は、無瞬断ＨＨＯを説明するためのＣＤＭＡ方式による移動通信システムにおける構成図である。
【０００８】
図８は、無瞬断ＨＨＯを説明するためのベースバンド信号手段７０６における構成図である。
【０００９】
図７、図８に示すＣＤＭＡ方式による移動通信システムにおける通信は、まずＲＮＣ７１１よりＮｏｄｅ−Ｂ７０３内の呼処理／保守処理監視手段７０９に対し、有線伝送路７１０を介して無線リンクの設定が行われる。無線リンク情報は、一旦、Ｎｏｄｅ−Ｂ７０３内の呼処理／保守処理監視手段７０９で保存された後、ベースバンド信号手段７０６内のベースバンドリソースＡ８０１ａ内のサーチ手段８０２ａ、レイク手段８０３ａ、コーデック手段８０４ａへ転送される。
【００１０】
次に、上り信号回線８０５における処理を説明する。移動局７０１からの上り信号は無線伝送路７０２を介し、Ｎｏｄｅ−Ｂ７０３内のＴＸ／ＲＸ　ＡＭＰ部７０４のＲＸ部に入力され、Ａ／Ｄ　Ｄ／Ａ変換手段７０５においてＡ／Ｄ変換され、上り信号回線８０５を介し、ベースバンド信号手段７０６内のベースバンドリソースＡ８０１ａへ転送される。ベースバンドリソースＡ８０１ａでは、サーチ手段８０２ａにおいてマルチパス検出、パス追跡を行い、レイク手段８０３ａにおいてチャネル推定、ＳＩＲ検出、ＲＡＫＥ合成を行い、コーデック手段８０４ａにてＲＡＫＥ合成された上り信号の復号処理（誤り訂正処理）、下り送信電力制御を行う。復号後の上り信号は、ＡＴＭセル組立手段７０７に転送され、ＡＴＭセルの変換を行い、伝送路Ｉ／Ｆ手段７０８にてＡＴＭセルを信号ごとに帯域制限をした後、有線伝送路７１０を介してＲＮＣ７１１へ送信される。
【００１１】
次に、下り信号回線８０６における処理を説明する。ＲＮＣ７１１からの下り信号は有線伝送路７１０を介し、伝送路Ｉ／Ｆ手段７０８に入力され、ＡＴＭセルの検出を行った後、ＡＴＭセル組立手段７０７へ転送され、ＡＴＭセルの変換を行い、下り信号回線８０６を介し、ベースバンド信号手段７０６内のベースバンドリソースＡ８０１ａへ入力される。ベースバンドリソースＡ８０１ａでは、コーデック手段８０４ａにて、下り信号の符号処理（ＣＲＣ生成処理、誤り訂正処理）、上り送信電力制御を行う。符号化された下り信号は、Ａ／Ｄ　Ｄ／Ａ変換手段７０５においてＤ／Ａ変換され、ＴＸ／ＲＸ　ＡＭＰ部７０４のＴＸ部へ転送された後、無線伝送路７０２を介して移動局７０１へ送信される。
【００１２】
以上の処理は、ベースバンド信号手段７０６内の異なるベースバンドリソースであるベースバンドリソースＢ８０１ｂ（サーチ手段８０２ｂ、レイク手段８０３ｂ、コーデック手段８０４ｂ）においても同じ様に行われる。
【００１３】
また、上り信号／下り信号の通信を行っている間、Ｎｏｄｅ−Ｂ７０３内における呼処理／保守処理の管理は呼処理／保守処理監視手段７０９にて行われる。
【００１４】
次に、ＲＮＣ７１１からの通知によりＮｏｄｅ−Ｂ７０３にて無瞬断ＨＨＯが行われる際の処理について説明する。
【００１５】
ベースバンド信号手段７０６内のベースバンドリソースＡ８０１ａにて通信を行っている呼に対し、ＲＮＣ７１１からの通知によりＮｏｄｅ−Ｂ７０３にて無瞬断ＨＨＯが行われる際、ＲＮＣ７１１からの新たな無線リンクの設定が有線伝送路７１０を介して呼処理／保守処理監視手段７０９に対して行われた後、有線伝送路７１０を介して無瞬断ＨＨＯタイミングであるＣＦＮが呼処理／保守処理監視手段７０９に通知される。
【００１６】
新たな無線リンク設定及びＣＦＮ情報は、一旦、呼処理／保守処理監視手段７０９にて保存され、ベースバンド信号手段７０６内のベースバンドリソースＡ８０１ａ内のサーチ手段８０２ａ、レイク手段８０３ａ、コーデック手段８０４ａへ転送される。
【００１７】
サーチ手段８０２ａ、レイク手段８０３ａ、コーデック手段８０４ａでは通知された新たな無線リンク情報とＣＦＮをそれぞれで保持しておき、通知されたＣＦＮ−１のタイミングまでは設定以前の無線リンク情報に基づいた処理を行い、通知されたＣＦＮのタイミングから新たな無線リンク情報に基づいた処理を行うよう、上り回線信号と下り回線信号における信号処理の切り替えを行う。
【００１８】
この無瞬断ＨＨＯタイミングであるＣＦＮの適用に際しては、上り回線信号においてサーチ手段８０２ａ、レイク手段８０３ａ、コーデック手段８０４ａそれぞれで用いる上りＣＦＮと、下り回線信号においてコーデック手段８０４ａで用いる下りＣＦＮとの比較をすることで実現する。
【００１９】
上り回線信号において、サーチ手段８０２ａではマルチパス検出を行う際の基準フレームタイミングから上りＣＦＮ（１無線フレーム１０ｍｓ毎に必ず更新される）を算出し、通知されたＣＦＮとの比較をすることで実現し、レイク手段８０３ａではＲＡＫＥ合成する際の基準フレームタイミングとなる上りＣＦＮ（１無線フレーム１０ｍｓ毎に必ず更新される）を算出し、通知されたＣＦＮとの比較をすることで実現し、コーデック手段８０４ａでは復号処理を行う際にレイク手段８０３ａから転送されたＲＡＫＥ合成後のデータに対する基準フレームとなる上りＣＦＮ（１無線フレーム１０ｍｓ毎に必ず更新される）を算出し、通知されたＣＦＮとの比較をすることで信号処理を行う。また各手段においては、それぞれで上りＣＦＮ算出タイミングを算出し、保持することにより、情報転送による遅延は影響のない範囲となり、上り回線信号の切り替えを無瞬断で行うことが出来る。
【００２０】
下り回線信号において、コーデック手段８０４ａではＡＴＭセル組立手段７０７にてＡＴＭセルに変換された下り信号に付随されているＣＦＮ情報、及び、符号処理を行う際に基準フレームとなる下りＣＦＮ（１無線フレーム１０ｍｓ毎に必ず更新される）を算出し、通知されたＣＦＮとの比較をすることで信号処理を行う。ＡＴＭセルに変換された下り回線信号がない場合には、コーデック手段８０４ａで自律的に符号処理を行う際の基準フレームとなるＣＦＮにおいて下り回線信号の切り替えを行う。下りＣＦＮの算出タイミングはコーデック手段８０４ａで算出し、保持することにより、情報転送を行わないため下り回線信号の切り替えを無瞬断で行うことが出来る。
【００２１】
また、無瞬断ＨＨＯを行う過程では、ＨＨＯ前のベースバンドリソースＡ８０１ａを用いるため、サーチ手段８０２ａにおける捕捉パス情報や、コーデック手段８０４ａにおける送信電力制御情報など、切り替えタイミング以前での必要な情報は同リソース内で保持され、切り替えタイミング以降も継続して扱うことが出来る。つまり、切り替えタイミングであるＣＦＮをサーチ手段８０２ａ、レイク手段８０３ａ、コーデック手段８０４ａがそれぞれで意識しておけば無瞬断ＨＨＯは容易に実現出来る。
【００２２】
ところがＮｏｄｅ−Ｂ７０３では、当該ベースバンドリソースにおける通信中の呼に対して、新たに通信の継続可能なベースバンドリソースを見つけて、新たなリソースで通信を行うようなハードハンドオーバ制御がある。保守機能の一つである追い出し制御がそれである。
【００２３】
追い出し制御は、Ｎｏｄｅ−Ｂ７０３において自律的に行うため、現在の通信中の呼に対しては、瞬断することなくハードハンドオーバさせる必要があるが、一般的な手順はＮｏｄｅ−Ｂ７０３毎に定められており、瞬断を余儀なくされているような状況も十分あり得る。現状では、統一の基準となる手順が特に定められてないが、追い出し制御においても通信中の呼に対する影響を与えることなく、確実に、無瞬断ＨＨＯを実現する必要がある。
【００２４】
【発明が解決しようとする課題】
本発明の目的は、ＣＤＭＡ方式による通信を行うＮｏｄｅ−Ｂにおいて、当該ベースバンドリソースにおける通信中の呼に対して、新たに通信の継続可能なベースバンドリソースを見つけて、新たなリソースで通信を行うようなハードハンドオーバ制御（以下、追い出し制御という）を行う際、無瞬断ハードハンドオーバ制御装置及び方法を提供することにある。本発明の他の目的は、次世代移動通信方式による通信を行うＮｏｄｅ−Ｂにおいても、追い出し制御を行う際、適用可能となる無瞬断ハードハンドオーバ制御装置及び方法を提供することにある。
【００２５】
【課題を解決するための手段】
本発明の無瞬断ハードハンドオーバ制御装置は、ＣＤＭＡ方式による通信を行うＮｏｄｅ−Ｂの呼処理／保守処理監視手段内にＣＦＮ（ＣｏｎｎｅｃｔｉｏｎＦｒａｍｅ　Ｎｕｍｂｅｒ）生成手段を備え、前記Ｎｏｄｅ−Ｂのベースバンド信号手段内にサーチ手段とレイク手段とコーデック手段とＨＨＯ（Ｈａｒｄ　Ｈａｎｄ　Ｏｖｅｒ）情報書き込み／読み込み手段と、を備えることを特徴とする。
【００２６】
本発明の無瞬断ハードハンドオーバ制御装置は、ＣＤＭＡ方式による通信を行うＮｏｄｅ−Ｂの呼処理／保守処理監視手段内にＨＨＯ（Ｈａｒｄ　Ｈａｎｄ　Ｏｖｅｒ）の切り替えタイミングとなるＣＦＮ（Ｃｏｎｎｅｃｔｉｏｎ　Ｆｒａｍｅ　Ｎｕｍｂｅｒ）を生成するＣＦＮ生成手段を備え、前記Ｎｏｄｅ−Ｂにおけるベースバンド信号手段にあるベースバンドリソースにサーチ手段とレイク手段とコーデック手段と前記ＨＨＯに関する無線情報の書き込み／読み込みを行うＨＨＯ情報書き込み／読み込み手段と、を備えることを特徴とする。
【００２７】
本発明の無瞬断ハードハンドオーバ制御装置は、前記Ｎｏｄｅ−Ｂで追い出し元と追い出し先とでなる追い出し制御を行う場合に、追い出し元となる前記サーチ手段での捕捉パス情報と、追い出し元となる前記コーデック手段での無線フレーム同期判定情報及び送信電力制御情報と、を追い出し元となる前記ＨＨＯ情報書き込み／読み込み手段に書き込み、追い出し元となる前記ＨＨＯ情報書き込み／読み込み手段に書き込んだ情報を、追い出し先となる前記ＨＨＯ情報書き込み／読み込み手段へ転送し、追い出し先となる前記ＨＨＯ情報書き込み／読み込み手段が、追い出し先の前記サーチ手段に対し前記捕捉パス情報を、追い出し先の前記コーデック手段に対し前記無線フレーム同期判定情報及び前記送信電力制御情報を転送することを特徴とする。
【００２８】
本発明の無瞬断ハードハンドオーバ制御装置は、前記Ｎｏｄｅ−Ｂで追い出し元と追い出し先とでなる追い出し制御を行う場合に、前記ＣＦＮ生成手段が、生成したＣＦＮを前記呼処理／保守処理監視手段を通じ、追い出し元と追い出し先となるそれぞれの前記サーチ手段、前記レイク手段、前記コーデック手段、前記ＨＨＯ情報書き込み／読み込み手段へ転送することを特徴とする。
【００２９】
本発明の無瞬断ハードハンドオーバ制御装置は、前記Ｎｏｄｅ−Ｂでベースバンドリソースにおける通信中の呼に対して、新たに通信の継続可能なベースバンドリソースを見つけて、新たなリソースで通信を行う追い出し制御を行う場合に、前記サーチ手段、前記レイク手段、前記コーデック手段、前記ＨＨＯ情報書き込み／読み込み手段が、追い出し制御時の切り替えタイミングとなるＣＦＮに対応して、上り回線信号と下り回線信号に対する信号処理の重複を避けることを特徴とする。
【００３０】
本発明の無瞬断ハードハンドオーバ制御装置は、前記Ｎｏｄｅ−Ｂで追い出し制御を行う場合に、前記ＨＨＯ情報書き込み／読み込み手段が、追い出し元での捕捉パス情報と無線フレーム同期判定情報と送信電力制御情報とを追い出し先へ転送し、追い出し先で信号処理を継続し、追い出し元の無線状態を保った状態でハードハンドオーバ制御を行うことを特徴とする。
【００３１】
本発明の無瞬断ハードハンドオーバ制御装置は、追い出し元ベースバンドリソースと追い出し先ベースバンドリソースの状態を監視し、追い出し制御を行う際の切り替えタイミングとなるＣＦＮ（Ｃｏｎｎｅｃｔｉｏｎ　Ｆｒａｍｅ　Ｎｕｍｂｅｒ）を生成し、前記追い出し元ベースバンドリソースと前記追い出し先ベースバンドリソースへＣＦＮを転送するためのＣＦＮ生成手段と、前記追い出し元ベースバンドリソース内の無線情報を書き込み、前記追い出し先ベースバンドリソース内へ前記無線情報を転送するＨＨＯ（Ｈａｒｄ　Ｈａｎｄ　Ｏｖｅｒ）情報書き込み／読み込み手段と、を備えることを特徴とする。
【００３２】
本発明の無瞬断ハードハンドオーバ制御方法は、ＣＤＭＡ方式による通信を行うＮｏｄｅ−Ｂにおいて、追い出し制御を行う際の切り替えタイミングとなるＣＦＮ（Ｃｏｎｎｅｃｔｉｏｎ　Ｆｒａｍｅ　Ｎｕｍｂｅｒ）が到来する前に、追い出し元のベースバンドリソースに関する無線情報を、追い出し先のベースバンドリソースへ転送することを特徴とする。
【００３３】
本発明の無瞬断ハードハンドオーバ制御方法は、ＣＤＭＡ方式による通信を行うＮｏｄｅ−Ｂにおいて、前記Ｎｏｄｅ−Ｂのベースバンド信号手段の追い出し元ベースバンドリソースに備えた追い出し元ＨＨＯ（Ｈａｒｄ　Ｈａｎｄ　Ｏｖｅｒ）情報書き込み／読み込み手段が、前記追い出し元ベースバンドリソースに関する無線情報を読み込み、追い出し制御を行う際の切り替えタイミングとなるＣＦＮ（Ｃｏｎｎｅｃｔｉｏｎ　Ｆｒａｍｅ　Ｎｕｍｂｅｒ）が到来する前に、前記Ｎｏｄｅ−Ｂのベースバンド信号手段の追い出し先ベースバンドリソースに備えた追い出し先ＨＨＯ情報書き込み／読み込み手段へ前記無線情報を転送することを特徴とする。
【００３４】
本発明の無瞬断ハードハンドオーバ制御方法は、ＣＤＭＡ方式による通信を行うＮｏｄｅ−Ｂの呼処理／保守処理監視手段が、この呼処理／保守処理監視手段の内部に有するＣＦＮ（Ｃｏｎｎｅｃｔｉｏｎ　Ｆｒａｍｅ　Ｎｕｍｂｅｒ）生成手段に対し無瞬断ハードハンドオーバが可能なＣＦＮ生成を通知し、前記ＣＦＮ生成の通知を受けた前記ＣＦＮ生成手段が、前記Ｎｏｄｅ−Ｂのベースバンド信号手段の内部に有する追い出し元ベースバンドリソースに関するベースバンドリソース元情報と、前記Ｎｏｄｅ−Ｂのベースバンド信号手段の内部に有する追い出し先ベースバンドリソースに関するベースバンドリソース先情報と、追い出し制御を行う際の切り替えタイミングであるＣＦＮと、を含むＣＦＮ生成メッセージを、前記呼処理／保守処理監視手段に通知し、前記ＣＦＮ生成メッセージの通知を受けた前記呼処理／保守処理監視手段が、前記追い出し元ベースバンドリソース内にある追い出し元サーチ手段、追い出し元レイク手段、追い出し元コーデック手段、追い出し元ＨＨＯ（Ｈａｒｄ　Ｈａｎｄ　Ｏｖｅｒ）情報書き込み／読み込み手段、及び前記追い出し先ベースバンドリソース内にある追い出し先サーチ手段、追い出し先レイク手段、追い出し先コーデック手段、追い出し先ＨＨＯ情報書き込み／読み込み手段へ前記ＣＦＮ生成メッセージを転送し、前記追い出し元コーデック手段が、前記呼処理／保守処理監視手段からの前記ＣＦＮ生成メッセージを受け、現時点での無線フレーム同期判定情報と送信電力制御情報とを、前記追い出し元ＨＨＯ情報書き込み／読み込み手段へ通知し、前記追い出し元サーチ手段が、前記呼処理／保守処理監視手段からの前記ＣＦＮ生成メッセージを受け、現時点での捕捉パス情報を前記追い出し元ＨＨＯ情報書き込み／読み込み手段へ通知し、前記追い出し元ＨＨＯ情報書き込み／読み込み手段が、前記呼処理／保守処理監視手段を通じて転送された前記ＣＦＮ生成メッセージ中の前記ベースバンドリソース先情報を参照して、前記追い出し先ベースバンドリソースを認識し、前記追い出し元ＨＨＯ情報書き込み／読み込み手段が、切り替えタイミングとなるＣＦＮを超えないよう、前記追い出し元サーチ手段からの前記捕捉パス情報と前記追い出し元コーデック手段からの前記無線フレーム同期判定情報と前記送信電力制御情報とでなる無線情報を、前記追い出し先ＨＨＯ情報書き込み／読み込み手段へ転送し、前記追い出し先ＨＨＯ情報書き込み／読み込み手段が、前記追い出し元ＨＨＯ情報書き込み／読み込み手段から転送された前記無線情報を読み出し、前記追い出し先サーチ手段へ前記捕捉パス情報を通知し、前記追い出し先コーデック手段へ前記無線フレーム同期判定情報と前記送信電力制御情報とを通知し、前記呼処理／保守処理監視手段が、前記ＣＦＮの到来を受けて、前記追い出し元サーチ手段、前記追い出し元レイク手段、前記追い出し元コーデック手段、前記追い出し元ＨＨＯ情報書き込み／読み込み手段に対してリソースの解放を指令することを特徴とする。
【００３５】
【発明の実施の形態】
次に、本発明の実施の形態について図面を参照して詳細に説明する。
【００３６】
図１は、本発明の実施の形態におけるＣＤＭＡ方式による移動通信システムにおける構成図である。
【００３７】
図２は、本発明の実施の形態におけるベースバンド信号手段における構成図である。
【００３８】
図１において、本発明の実施の形態におけるＣＤＭＡ方式による移動通信システムは移動局１０１、Ｎｏｄｅ−Ｂ１０３、ＲＮＣ１１２から構成され、無線伝送路１０２、有線伝送路１１１で接続されている。更にＮｏｄｅ−Ｂ１０３は、ＴＸ／ＲＸ　ＡＭＰ部１０４、Ａ／Ｄ　Ｄ／Ａ変換手段１０５、ベースバンド信号手段１０６、ＡＴＭセル組立手段１０７、伝送路Ｉ／Ｆ手段１０８、呼処理／保守処理監視手段１０９から構成され、呼処理／保守処理監視手段１０９内にＣＦＮ生成手段１１０を備える。
【００３９】
図２において、本発明の実施の形態におけるベースバンド信号手段１０６は、べースバンドリソースＡ２０１ａとベースバンドリソースＢ２０１ｂから構成されており、それぞれが独立した動作を可能とする。上り信号回線２０６及び下り信号回線２０７等によって外部と送受信している。
【００４０】
図２において、ベースバンドリソースＡ２０１ａ、ベースバンドリソースＢ２０１ｂは、サーチ手段２０２ａ及び２０２ｂ、レイク手段２０３ａ及び２０３ｂ、コーデック手段２０４ａ及び２０４ｂ、ＨＨＯ情報書き込み／読み込み手段２０５ａ及び２０５ｂから構成される。
【００４１】
図１と図２において、追い出し制御（当該ベースバンドリソースにおける通信中の呼に対して、新たに通信の継続可能なベースバンドリソースを見つけて、新たなリソースで通信を行うようなハードハンドオーバ制御）を行う際、ＣＦＮ生成手段１１０は、追い出し制御を行う際の切り替えタイミングとなるＣＦＮとベースバンドリソース元情報、ベースバンドリソース先情報を生成し、生成したＣＦＮメッセージを呼処理／保守処理監視手段１０９を通じ、ベースバンド信号手段１０６の追い出し元となるベースバンドリソースＡ２０１ａ（追い出し元ベースバンドリソース２０１ａ）内のサーチ手段２０２ａ（追い出し元サーチ手段２０２ａ）、レイク手段２０３ａ（追い出し元レイク手段２０３ａ）、コーデック手段２０４ａ（追い出し元コーデック手段２０４ａ）、ＨＨＯ情報書き込み／読み込み手段２０５ａ（追い出し元ＨＨＯ情報書き込み／読み込み手段２０５ａ）と、追い出し先となるベースバンドリソースＢ２０１ｂ（追い出し先ベースバンドリソース２０１ｂ）内のサーチ手段２０２ｂ（追い出し先サーチ手段２０２ｂ）、レイク手段２０３ｂ（追い出し先レイク手段２０３ｂ）、コーデック手段２０４ｂ（追い出し先コーデック手段２０４ｂ）、ＨＨＯ情報書き込み／読み込み手段２０５ｂ（追い出し先ＨＨＯ情報書き込み／読み込み手段２０５ｂ）へ転送する。
【００４２】
図２において、追い出し制御を行う際、追い出し元サーチ手段２０２ａは捕捉パス情報を、追い出し元コーデック手段２０４ａは無線フレーム同期判定情報と送信電力制御情報を追い出し元ＨＨＯ情報書き込み／読み込み手段２０５ａへ転送し、追い出し元ＨＨＯ情報書き込み／読み込み手段２０５ａは、追い出し先ＨＨＯ情報書き込み／読み込み手段２０５ｂに対し、これらの無線情報（情報メッセージ）を転送し、追い出し先ＨＨＯ情報書き込み／読み込み手段２０５ｂは転送された無線情報を読み出し、追い出し先サーチ手段２０２ｂに対し捕捉パス情報を、追い出し先コーデック手段２０４ｂに対し無線フレーム同期判定情報と送信電力制御情報を転送する。
【００４３】
尚、本発明の実施の形態におけるベースバンド信号手段１０６ではベースバンドリソースをＡ、Ｂの２つとしているが、これをＣ、Ｄ、・・・と複数持たせ、ベースバンドリソース内の各手段も同様の構成とするのは容易である。
【００４４】
次に、具体的な実施例を図３と図４を用いて、本発明の実施の形態の動作を説明する。
【００４５】
図３は、本発明の実施の形態における追い出し制御を行う際の、Ａ／Ｄ　Ｄ／Ａ変換手段３Ａ、呼処理／保守処理監視手段３Ｂ、ＣＦＮ生成手段３Ｃ、追い出し元ベースバンドリソースＡ２０１ａのサーチ手段３Ｄ１（追い出し元サーチ手段３Ｄ１）、レイク手段３Ｄ２（追い出し元レイク手段３Ｄ２）、コーデック手段３Ｄ３（追い出し元コーデック手段３Ｄ３）、ＨＨＯ情報書き込み／読み込み手段３Ｄ４（追い出し元ＨＨＯ情報書き込み／読み込み手段３Ｄ４）、追い出し先ベースバンドリソースＢ２０１ｂのサーチ手段３Ｅ１（追い出し先サーチ手段３Ｅ１）、レイク手段３Ｅ２（追い出し先レイク手段３Ｅ２）、コーデック手段３Ｅ３（追い出し先コーデック手段３Ｅ３）、ＨＨＯ情報書き込み／読み込み手段３Ｅ４（追い出し先ＨＨＯ情報書き込み／読み込み手段３Ｅ４）、ＡＴＭセル組立手段３Ｆにおける無線信号処理のシーケンスフローである。
【００４６】
図４は、ＣＦＮ生成手段３ＣにおけるＣＦＮ生成メッセージと、ＨＨＯ情報書き込み／読み込み手段３Ｄ４及び３Ｅ４における無線フレーム同期判定情報、送信電力制御情報、捕捉パス情報とで成る無線情報である。
【００４７】
図３において、通信中の呼に対して追い出し制御を行う際、呼処理／保守処理監視手段３Ｂは処理３０１においてＣＦＮ生成手段３Ｃに対し無瞬断ＨＨＯが可能なＣＦＮの生成通知の指令を行う。
【００４８】
ＣＦＮ生成通知の指令を受けたＣＦＮ生成手段３Ｃは処理３０２においてＣＦＮを生成し、図４に示すＣＦＮ生成手段におけるＣＦＮ生成メッセージに従い、呼処理／保守処理監視手段３Ｂに通知する。このＣＦＮ生成メッセージには追い出し制御時に必要な、追い出し元と追い出し先への情報となるベースバンドリソース元情報とベースバンドリソース先情報と切り替えタイミングであるＣＦＮが含まれている。
【００４９】
ＣＦＮ生成メッセージの通知を受けた呼処理／保守処理監視手段３Ｂは処理３０３において、追い出し元となるベースバンドリソースＡ２０１ａ内の追い出し元サーチ手段３Ｄ１、追い出し元レイク手段３Ｄ２、追い出し元コーデック手段３Ｄ３、追い出し元ＨＨＯ情報書き込み／読み込み手段３Ｄ４、追い出し先となるベースバンドリソースＢ２０１ｂ内の追い出し先サーチ手段３Ｅ１、追い出し先レイク手段３Ｅ２、追い出し先コーデック手段３Ｅ３、追い出し先ＨＨＯ情報書き込み／読み込み手段３Ｅ４へＣＦＮ生成メッセージを転送する。
【００５０】
追い出し元のベースバンドリソースＡ２０１ａ内の追い出し元コーデック手段３Ｄ３は、呼処理／保守処理監視手段３ＢからのＣＦＮ生成メッセージを受け、処理３０４において現時点での無線フレーム同期判定情報と送信電力制御情報を追い出し元ＨＨＯ情報書き込み／読み込み手段３Ｄ４へ通知する。
【００５１】
追い出し元のベースバンドリソースＡ２０１ａ内の追い出し元サーチ手段３Ｄ１は、呼処理／保守処理監視手段３ＢからのＣＦＮ生成メッセージを受け、処理３０５において現時点での捕捉パス情報を追い出し元ＨＨＯ情報書き込み／読み込み手段３Ｄ４へ通知する。
【００５２】
追い出し元のベースバンドリソースＡ２０１ａ内の追い出し元ＨＨＯ情報書き込み／読み込み手段３Ｄ４は、呼処理／保守処理監視手段３Ｂを通じて転送されたＣＦＮ生成メッセージ中のベースバンドリソース先情報を参照して、追い出し先となるベースバンドリソースＢ２０１ｂを認識する。切り替えタイミングとなるＣＦＮを超えないよう、処理３０６において追い出し元サーチ手段３Ｄ１からの捕捉パス情報と追い出し元コーデック手段３Ｄ３からの無線フレーム同期判定情報と送信電力制御情報を追い出し先のベースバンドリソースＢ２０１ｂ内の追い出し先ＨＨＯ情報書き込み／読み込み手段３Ｅ４に対して転送する。（図４に示す情報メッセージ（無線情報）を転送する。）
以上を以て、追い出し元ベースバンドリソースＡ２０１ａから追い出し先ベースバンドリソースＢ２０１ｂへの情報転送が完了する。
【００５３】
以降、追い出し元のベースバンドリソースＡ２０１ａ内の追い出し元サーチ手段３Ｄ１、追い出し元レイク手段３Ｄ２、追い出し元コーデック手段３Ｄ３は切り替えタイミング直前であるＣＦＮ−１のタイミングまで信号処理を行う。
【００５４】
処理３０８は、ＣＦＮ−２（ＣＦＮ−２は、ＣＦＮの２つ前のＣＦＮ番号を示す）のタイミング（時刻）における上り回線信号に対する処理で、Ａ／Ｄ　Ｄ／Ａ変換手段３ＡでＡ／Ｄ変換された上り信号に対し、追い出し元サーチ手段３Ｄ１において、マルチパス検出を行う際の基準フレームタイミングから上りＣＦＮを算出し、通知された切り替えタイミングとなるＣＦＮとの比較をした後、マルチパス検出、パス追跡を行う。追い出し元レイク手段３Ｄ２においても、ＲＡＫＥ合成する際の基準フレームタイミングとなる上りＣＦＮを算出し、切り替えタイミングとなるＣＦＮとの比較をした後、チャネル推定、ＳＩＲ検出、ＲＡＫＥ合成を行う。追い出し元コーデック手段３Ｄ３においても、復号処理を行う際に追い出し元レイク手段３Ｄ２から転送されたＲＡＫＥ合成後のデータに対する基準フレームとなる上りＣＦＮを算出し、切り替えタイミングとなるＣＦＮとの比較をした後、ＲＡＫＥ合成された上り信号の復号処理（誤り訂正処理）、下り送信電力制御を行い、復号後の上り信号をＡＴＭセル組立手段３Ｆへ転送する。
【００５５】
処理３０９は、ＣＦＮ−２のタイミング（時刻）における下り回線信号に対する処理で、ＡＴＭセル組立手段３ＦでＡＴＭセル変換された下り信号に対し、追い出し元コーデック手段３Ｄ３にて、ＡＴＭセルに変換された下り信号に付随されているＣＦＮ情報及び、符号処理を行う際に基準フレームとなる下りＣＦＮを算出して、切り替えタイミングとなるＣＦＮとの比較をする。ＡＴＭセルに変換された下り信号がない場合は、自律的に符号処理を行う際の基準フレームとなるＣＦＮとの比較をした後、下り信号の符号処理（ＣＲＣ生成処理、誤り訂正処理）、上り送信電力制御を行い、符号化された下り信号をＡ／Ｄ　Ｄ／Ａ変換手段３Ａへ転送する。
【００５６】
処理３１０は、ＣＦＮ−１のタイミング（時刻）における上り回線信号に対する処理であり、処理３１１は同タイミングにおける下り回線信号に対する処理で、処理３０８、処理３０９と同様の処理を行う。
【００５７】
呼処理／保守処理監視手段３Ｂは、処理３１２において切り替えタイミング（時刻）となるＣＦＮの到来を受けて、ベースバンドリソースＡ２０１ａ内の追い出し元サーチ手段３Ｄ１、追い出し元レイク手段３Ｄ２、追い出し元コーデック手段３Ｄ３、追い出し元ＨＨＯ情報書き込み／読み込み手段３Ｄ４に対し、ベースバンドリソースの解放指令を行う。
【００５８】
以上を以て、追い出し制御に伴うベースバンドリソースＡ２０１ａでの信号処理は終了する。
【００５９】
追い出し先のベースバンドリソースＢ２０１ｂ内の追い出し先ＨＨＯ情報書き込み／読み込み手段３Ｅ４は、追い出し元のベースバンドリソースＡ２０１ａ内の追い出し元ＨＨＯ情報書き込み／読み込み手段３Ｄ４から転送された情報に対し、処理３０７において追い出し先サーチ手段３Ｅ１へ捕捉パス情報と、追い出し先コーデック手段３Ｅ３へ無線フレーム同期判定情報と送信電力制御情報を通知する。
【００６０】
追い出し先サーチ手段３Ｅ１は、この捕捉パス情報に基づいて切り替えタイミングとなるＣＦＮ以前からマルチパス検出とパス追跡を開始する。
【００６１】
追い出し先コーデック手段３Ｅ３は、この無線フレーム同期判定情報と送信電力制御情報に基づいて、切り替えタイミングとなるＣＦＮから上り信号の復号処理（誤り訂正処理）、下り送信電力制御、下り信号の符号処理（ＣＲＣ生成処理、誤り訂正処理）、上り送信電力制御を行えるよう準備をしておく。
【００６２】
以上の処理を切り替えタイミングとなるＣＦＮが到来する前に完了させる。この処理を事前に行っておくことで、切り替えタイミングとなるＣＦＮ以降の処理を瞬断させることなく継続して行えるようにする。
【００６３】
以降、追い出し先サーチ手段３Ｅ１、追い出し先レイク手段３Ｅ２、追い出し先コーデック手段３Ｅ３は切り替えタイミングとなるＣＦＮが到来するまでの間は、上り信号回線２０６／下り信号回線２０７に対する信号処理を行なわない。
【００６４】
処理３０８は、ＣＦＮ−２のタイミング（時刻）における上り回線信号に対する処理で、Ａ／Ｄ　Ｄ／Ａ変換手段３ＡでＡ／Ｄ変換された上り信号に対し、追い出し先サーチ手段３Ｅ１において、切り替えタイミング以前においても、転送された捕捉パス情報を基にマルチパス検出とパス追跡を開始する。但しこの場合、追い出し先レイク手段３Ｅ２に対する捕捉パスの通知は行わない。追い出し先レイク手段３Ｅ２、追い出し先コーデック手段３Ｅ３においてはそれぞれで基準フレームとなる上りＣＦＮとの比較を行った上で当該フレームに対する信号処理を行わない。
【００６５】
処理３０９は、ＣＦＮ−２のタイミング（時刻）における下り回線信号に対する処理で、ＡＴＭセル組立手段３ＦでＡＴＭセル変換された下り信号に対し、追い出し先コーデック手段３Ｅ３にて、基準フレームとなる下りＣＦＮとの比較を行い当該フレームでの信号処理を行わない。ＡＴＭセルに変換された下り信号がない場合は、自律的に符号処理を行う際の基準フレームとなるＣＦＮとの比較を行い当該フレームでの信号処理を行わない。
【００６６】
処理３１０は、ＣＦＮ−１のタイミング（時刻）における上り回線信号に対する処理であり、処理３１１は同タイミングにおける下り回線信号に対する処理で、処理３０８、処理３０９と同様の処理を行う。
【００６７】
処理３１３は、切り替えタイミング（時刻）となるＣＦＮにおける上り回線信号に対する処理で、Ａ／Ｄ　Ｄ／Ａ変換手段３ＡでＡ／Ｄ変換された上り信号に対し、追い出し先サーチ手段３Ｅ１において、マルチパス検出を行う際の基準フレームタイミングから上りＣＦＮを算出し、通知されたＣＦＮとの比較をした後、ＣＦＮ以前から処理を行っているマルチパス検出とパス追跡を継続する。追い出し先レイク手段３Ｅ２においても、ＲＡＫＥ合成する際の基準フレームタイミングとなる上りＣＦＮを算出し、切り替えタイミングとなるＣＦＮとの比較をした後、チャネル推定、ＳＩＲ検出、ＲＡＫＥ合成を行う。追い出し先コーデック手段３Ｅ３においても、復号処理を行う際に追い出し先レイク手段３Ｅ２から転送されたＲＡＫＥ合成後のデータに対する基準フレームとなる上りＣＦＮを算出し、切り替えタイミングとなるＣＦＮとの比較をした後、転送された無線フレーム同期判定情報と送信電力制御情報をこの時点で有効扱いとし、ＲＡＫＥ合成された上り信号の復号処理（誤り訂正処理）、下り送信電力制御を行い、復号後の上り信号をＡＴＭセル組立手段３Ｆへ転送する。
【００６８】
処理３１４は、ＣＦＮタイミング（時刻）における下り回線信号に対する処理で、ＡＴＭセル組立手段３ＦでＡＴＭセル変換された下り信号に対し、追い出し先コーデック手段３Ｅ３にて、ＡＴＭセルに変換された下り信号に付随されているＣＦＮ情報及び、符号処理を行う際に基準フレームとなる下りＣＦＮを算出して、切り替えタイミングとなるＣＦＮとの比較をする。ＡＴＭセルに変換された下り信号がない場合は、自律的に符号処理を行う際の基準フレームとなるＣＦＮとの比較をした後、転送された無線フレーム同期判定情報と送信電力制御情報をこの時点で有効扱いとし、下り信号の符号処理（ＣＲＣ生成処理、誤り訂正処理）、上り送信電力制御を行い、符号化された下り信号をＡ／Ｄ　Ｄ／Ａ変換手段３Ａへ転送する。
【００６９】
処理３１５は、ＣＦＮ＋１のタイミング（時刻）における上り回線信号に対する処理であり、処理３１６は同タイミングにおける下り回線信号に対する処理で、処理３１３、処理３１４と同様の処理を行う。
【００７０】
以降、追い出し先サーチ手段３Ｅ１、追い出し先レイク手段３Ｅ２、追い出し先コーデック手段３Ｅ３では同様の処理を行うが、処理３１２において切り替えタイミングとなるＣＦＮが到来し、ベースバンドリソースＡ２０１ａの解放が行われたことで追い出し制御は完了する。以上述べたように、処理３０８〜処理３１６では、上り回線信号及び下り回線信号に対する信号処理の重複を避けるように行われている。
【００７１】
【発明の効果】
以上に述べたように本発明の無瞬断ハードハンドオーバ制御装置及び方法は、以下のような効果が得られる。
【００７２】
第１に、追い出し制御に伴う、上り回線信号、下り回線信号に対する信号処理の重複を避けることが出来る。その理由は、追い出し制御時の切り替えタイミングとなるＣＦＮを生成することで、追い出し元のベースバンドリソース、追い出し先のベースバンドリソースそれぞれで上り信号回線、下り信号回線に対する信号処理の開始、停止のタイミングを判別出来るためである。
【００７３】
第２に、追い出し制御において、追い出し元ベースバンドリソースの無線状態を保った状態でハードハンドオーバ制御を実現出来る。その理由は、追い出し制御を伴う際に、追い出し元ベースバンドリソースでの捕捉パス情報と無線フレーム同期判定情報と送信電力制御情報を追い出し先ベースバンドリソースへ転送し、追い出し先ベースバンドリソースで処理継続を行うためである。
【００７４】
第３に、追い出し制御において、瞬断することなくハードハンドオーバ制御を実現出来る。その理由は、第１で述べた切り替えタイミングとなるＣＦＮを自律的に生成し、第２で述べた追い出し元ベースバンドリソースの捕捉パス情報を基に、追い出し先ベースバンドリソースでは切り替えタイミングであるＣＦＮ以前からマルチパス検出とパス追跡を継続し、追い出し元ベースバンドリソースの無線フレーム同期情報と送信電力制御情報を基に、追い出し先ベースバンドリソースでは切り替えタイミングとなるＣＦＮから本情報を有効として処理継続を行うためである。
【００７５】
第４に、同様のベースバンドリソースを用いる、あらゆる次世代移動通信システムの任意のＮｏｄｅ−Ｂにおいて、追い出し制御を行うのに際しても、本無瞬断ハードハンドオーバ制御方法を適用することにより、システム同一の基準として示すことが出来る。
【図面の簡単な説明】
【図１】本発明の実施の形態におけるＣＤＭＡ方式による移動通信システムにおける構成図である。
【図２】本発明の実施の形態におけるベースバンド信号手段における構成図である。
【図３】本発明の実施の形態における無線信号処理のシーケンスフローである。
【図４】本発明の実施の形態におけるＣＦＮ生成手段、ＨＨＯ情報書き込み／読み込み手段で用いる各メッセージフォーマットである。
【図５】従来の技術における無瞬断ＨＨＯを説明するためのＲＮＣとＮｏｄｅ−Ｂ間における無瞬断ＨＨＯシーケンスである。
【図６】従来の技術における無瞬断ＨＨＯを説明するためのＲＮＣからＮｏｄｅ−Ｂに対するＲＡＤＩＯ　ＬＩＮＫ　ＲＥＣＯＮＦＩＧＵＲＡＴＩＯＮ　ＣＯＭＭＩＴメッセージの詳細である。
【図７】従来の技術における無瞬断ＨＨＯを説明するためのＣＤＭＡ方式による移動通信システムにおける構成図である。
【図８】従来の技術における無瞬断ＨＨＯを説明するためのベースバンド信号処理手段における構成図である。
【符号の説明】
１０１　　移動局
１０２　　無線伝送路
１０３　　Ｎｏｄｅ−Ｂ
１０４　　ＴＸ／ＲＸ　ＡＭＰ部
１０５　　Ａ／Ｄ　Ｄ／Ａ変換手段
１０６　　ベースバンド信号手段
１０７　　ＡＴＭセル組立手段
１０８　　伝送路Ｉ／Ｆ手段
１０９　　呼処理／保守処理監視手段
１１０　　ＣＦＮ生成手段
１１１　　有線伝送路
１１２　　ＲＮＣ
２０１ａ　　ベースバンドリソースＡ
２０１ｂ　　ベースバンドリソースＢ
２０２ａ、２０２ｂ　　サーチ手段
２０３ａ、２０３ｂ　　レイク手段
２０４ａ、２０４ｂ　　コーデック手段
２０５ａ、２０５ｂ　　ＨＨＯ情報書き込み／読み込み手段
２０６　　上り信号回線
２０７　　下り信号回線
３Ａ　　Ａ／Ｄ　Ｄ／Ａ変換手段
３Ｂ　　呼処理／保守処理監視手段
３Ｃ　　ＣＦＮ生成手段
３Ｄ１　　サーチ手段
３Ｄ２　　レイク手段
３Ｄ３　　コーデック手段
３Ｄ４　　ＨＨＯ情報書き込み／読み込み手段
３Ｅ１　　サーチ手段
３Ｅ２　　レイク手段
３Ｅ３　　コーデック手段
３Ｅ４　　ＨＨＯ情報書き込み／読み込み手段
３Ｆ　　ＡＴＭセル組立手段
７０１　　移動局
７０２　　無線伝送路
７０３　　Ｎｏｄｅ−Ｂ
７０４　　ＴＸ／ＲＸ　ＡＭＰ部
７０５　　Ａ／Ｄ　Ｄ／Ａ変換手段
７０６　　ベースバンド信号手段
７０７　　ＡＴＭセル組立手段
７０８　　伝送路Ｉ／Ｆ手段
７０９　　呼処理／保守処理監視手段
７１０　　有線伝送路
７１１　　ＲＮＣ
８０１ａ　　ベースバンドリソースＡ
８０１ｂ　　ベースバンドリソースＢ
８０２ａ、８０２ｂ　　サーチ手段
８０３ａ、８０３ｂ　　レイク手段
８０４ａ、８０４ｂ　　コーデック手段
８０５　　上り信号回線
８０６　　下り信号回線
【図１】
2004080698.tif 000003
【図２】
2004080698.tif 000004
【図３】
2004080698.tif 000005
【図４】
2004080698.tif 000006
【図５】
2004080698.tif 000007
【図６】
2004080698.tif 000008
【図７】
2004080698.tif 000009
【図８】
2004080698.tif 000010